(57)【要約】反射型スクリーン（１）は、明室においても明るくコントラストの高い鮮明な投射画像を形成することができる。反射型スクリーン（１）は、投射光の入射面に対して背面側に設置される反射層（３０）と、反射層（３０）の入射側に配設され、投射された投射光の水平方向の視野角を改善する水平方向視野角拡大層（２０）と、水平方向視野角拡大層（２０）の入射側に配設される拡散層（４０）とを有している。水平方向視野角拡大層（２０）は、背面側に隆起したレンチキュラー、プリズム、あるはウェーブ形状の凸条列を有し、その凸条列の長手方向が反射型スクリーン（１）の垂直方向に一致するように構成されているため、当該スクリーン（１）の水平方向の視野角特性を改善するとともに、垂直方向の拡散特性を抑えて照明光等上方からの外乱光が観察者方向に反射することを防ぐ。これによって明室においても高コントラストで、しかも大画面にも対応でき、ＣＣＲ（中心／周辺輝度比）の劣化を起こさない反射型スクリーンを提供できる。
2004104695.tif 000002
【特許請求の範囲】
【請求項１】
光の拡散を絞る拡散層と、該拡散層を透過した透過光を反射する反射層とを有することを特徴とする反射型スクリーン。
【請求項２】
スクリーンの垂直方向での拡散に比して水平方向で相対的に拡散を大きくしたことを特徴とする反射型スクリーン。
【請求項３】
投射光の入射側より、光の拡散を絞る拡散層と、水平方向の視野角を拡大する水平方向視野角拡大層と、該水平方向視野角拡大層を透過した透過光を反射する反射層とを有することを特徴とする反射型スクリーン。
【請求項４】
請求の範囲第３項に記載の反射型スクリーンにおいて、前記水平方向視野角拡大層は、複数の凸条が連続的に配列され、前記凸条の頂部が、前記反射層側に配置するように構成されていることを特徴とする反射型スクリーン。
【請求項５】
請求の範囲第３項または第４項に記載の反射型スクリーンにおいて、前記水平方向視野角拡大層は、複数の凸条が連続的に配列され、前記複数の凸条は、各前記凸条の長手方向が前記反射型スクリーンの垂直方向に一致するように連続して配設されていることを特徴とする反射型スクリーン。
【請求項６】
請求の範囲第４項または第５項に記載の反射型スクリーンにおいて、前記凸条の配列方向のピッチは、２００μｍ以下であることを特徴とする反射型スクリーン。
【請求項７】
請求の範囲第４項ないし第６項のいずれか１に記載の反射型スクリーンにおいて、前記水平方向視野角拡大層は、前記凸条がシリンドリカル形状であることを特徴とする反射型スクリーン。
【請求項８】
請求の範囲第４項ないし第６項のいずれか１に記載の反射型スクリーンにおいて、前記水平方向視野角拡大層は、前記凸条がプリズム形状であることを特徴とする反射型スクリーン。
【請求項９】
請求の範囲第４項ないし第６項のいずれか１に記載の反射型スクリーンにおいて、前記水平方向視野角拡大層は、前記凸条がウェーブ形状であることを特徴とする反射型スクリーン。
【請求項１０】
請求の範囲第３項ないし第９項のいずれか１に記載の反射型スクリーンにおいて、前記反射層は、前記水平方向視野角拡大層の背面側に非接着で配設されてなることを特徴とする反射型スクリーン。
【請求項１１】
請求の範囲第３項ないし第９項のいずれか１に記載の反射型スクリーンにおいて、前記反射層は、前記水平方向視野角拡大層の背面側に、接着層を介して接着されていることを特徴とする反射型スクリーン。
【請求項１２】
請求の範囲第１０項または第１１項に記載の反射型スクリーンにおいて、前記水平方向視野角拡大層の前記凸条がシリンドリカル形状であって、前記反射層は、該シリンドリカル形状によって形成されるシリンドリカルレンズの焦点位置から前記凸条の頂部までの間に配設されることを特徴とする反射型スクリーン。
【請求項１３】
請求の範囲第１２項に記載の反射型スクリーンにおいて、前記反射層と前記水平方向視野角拡大層の凸条頂部との距離は、前記シリンドリカルレンズの焦点位置と前記水平方向視野角拡大層の凸条頂部までの距離の１／７以下の範囲にあることを特徴とする反射型スクリーン。
【請求項１４】
請求の範囲第１０項，第１２項及び第１３項のいずれか１に記載の反射型スクリーンにおいて、前記反射層と前記水平方向視野角拡大層との距離が調節可能であることを特徴とする反射型スクリーン。
【請求項１５】
請求の範囲第１１項に記載の反射型スクリーンにおいて、前記反射層と前記水平方向視野角拡大層とは、相互に部分的に接着され、前記反射層と前記水平方向視野角拡大層との非接着部分において、該水平方向視野角拡大層と該接着層との間に、該水平方向視野角拡大層とは屈折率が異なる媒質が配設されていることを特徴とする反射型スクリーン。
【請求項１６】
請求の範囲第４項ないし第９項のいずれか１に記載の反射型スクリーンにおいて、前記反射層は、前記水平方向視野角拡大層の凸条列の表面に、蒸着または塗布によって層形成されていることを特徴とする反射型スクリーン。
【請求項１７】
請求の範囲第４項ないし第９項のいずれか１に記載の反射型スクリーンにおいて、前記反射層は、前記凸条列表面に積層した反射シートによって形成されていることを特徴とする反射型スクリーン。
【請求項１８】
請求の範囲第３項ないし第１７項のいずれか１に記載の反射型スクリーンにおいて、前記拡散層は、ビーズ及び／または顔料による拡散材が分散した透明樹脂バインダによって形成されていることを特徴とする反射型スクリーン。
【請求項１９】
請求の範囲第１８項に記載の反射型スクリーンにおいて、前記拡散層は、拡散材の粒径，材質，含有量，粒度のいずれかまたは複数が異なる複数の層によって構成され、前記拡散層の表面粗さと該拡散層の内部ヘイズとが個別に制御されていることを特徴とする反射型スクリーン。
【請求項２０】
請求の範囲第３項ないし第１９項のいずれか１に記載の反射型スクリーンにおいて、該反射型スクリーンは、ＴＩＮＴを含むＴＩＮＴ層を有し、該ＴＩＮＴ層は、前記水平方向視野角拡大層に対して投射光の入射側に積層されていることを特徴とする反射型スクリーン。
【請求項２１】
請求の範囲第３項ないし第２０項のいずれか１に記載の反射型スクリーンにおいて、該反射型スクリーンは、ブラックマトリクスが形成されたブラックマトリクス層を有し、該ブラックマトリクス層は、前記水平方向視野角拡大層に対して投射光の入射側に積層されていることを特徴とする反射型スクリーン。
【請求項２２】
請求の範囲第３項ないし第２１項のいずれか１に記載の反射型スクリーンにおいて、該反射型スクリーンは、透明樹脂シートによる基材を有し、該基材は、前記水平方向視野角拡大層に対して投射光の入射側に積層されていることを特徴とする反射型スクリーン。
【請求項２３】
請求の範囲第４項ないし第２２項のいずれか１に記載の反射型スクリーンにおいて、前記水平方向視野角拡大層は、シート状の基材と、該基材の表面に前記凸条の配列を形成してなることを特徴とする反射型スクリーン。
【請求項２４】
正面方向の投影装置からの投影光を受けて投影像を形成する反射型スクリーンにおいて、該反射型スクリーンは、外乱光が主に上方から入射する屋内で用いられる横長型スクリーンであって、光拡散部と、該光拡散部を透過した投影光を水平方向の視野角を広げる方向に反射させると共に、当該光拡散部を透過した外乱光を下方に反射させる視野角拡大反射部とを有してなることを特徴とする反射型スクリーン。
【請求項２５】
請求の範囲第２４項に記載の反射型スクリーンにおいて、該反射型スクリーンは、視野角が１５度以上であることを特徴とする反射型スクリーン。
【請求項２６】
請求の範囲第２４項または第２５項に記載の反射型スクリーンにおいて、該反射型スクリーンと観察者との距離が１．５ｍ以上であることを特徴とする反射型スクリーン。
【請求項２７】
請求の範囲第２４項ないし第２６項のいずれか１に記載の反射型スクリーンにおいて、前記視野角拡大反射部は、水平方向に凹凸が形成され、各該凹凸は該反射型スクリーンの垂直方向に伸びて配列されていることを特徴とする反射型スクリーン。
【請求項２８】
請求の範囲第２４項ないし第２７項のいずれか１に記載の反射型スクリーンにおいて、前記視野角拡大反射部は、凹凸の視野角拡大層と、該視野角拡大層の背面に位置する反射層とからなることを特徴とする反射型スクリーン。
【発明の詳細な説明】
【技術分野】  本発明は、反射型スクリーン、より詳細には、投射装置（プロジェクタ）等によって映像を投射するために使用する反射型スクリーンであって、特に明室において明るく、コントラストの高い投射画像を得ることができる反射型スクリーンに関する。
【背景技術】  従来の反射型スクリーンとしては、例えば、ガラス繊維や合成繊維等の織布シート、あるいはこれらの織布シートに塩化ビニル等の樹脂を含浸させた含浸シート、あるいは塩化ビニル等の合成樹脂シートやアルミニウムの金属シートなどをスクリーン基材として使用し、これらの素材によるスクリーン基材表面に反射層を形成したものが知られている。
上記の反射層は、例えば、表面に二酸化チタンを被覆した粉末もしくはマイカ鱗粉薄片を光透過性樹脂であるバインダに分散したパール塗料やパールインキ、またはアルミニウム等の金属粉を用いた銀色塗料やインキなどを、上記のスクリーン基材表面に塗布することによって形成されている。またこの他、多数の微小透明ビーズを配列して回帰性を付与した反射層が知られている。
さらに、光の吸収性が少ない光拡散剤として作用する方解石の結晶微粒子をバインダ内に分散させた拡散層を、上記の反射層上に積層したスクリーンも知られている。
反射型スクリーンにおいては、スクリーンの拡散度合いを上げすぎると、明室において外乱光と投射光（投影光）との区別がなくなってコントラストの低下をまねく。このため、結像面の拡散度合いは、ある程度低く抑えなければならない。
また、現在主流になりつつあるアスペクト比が１６：９等の大型画面においては、観察者が観察する画面の周辺部と中央部では、投射光のスクリーンへの入射角度において水平方向で大きな角度差が生じてしまうため、この角度差をカバーする十分な視野角を得ることができるように水平方向の拡散が必要となる。また、スクリーンの拡散度合いを減少させることにより、スクリーン正面方向へのゲインを大きくすることができるが、このときに、視野角や画面ＣＣＲ（中心／周辺輝度比）などの特性の劣化が生じる。
以上を鑑みると、反射型スクリーンにおいては、明室コントラストを向上させるために拡散度合いをある程度以下に押さえる必要があり、水平方向の視野角を拡大する光の拡散を生じる反射特性が必要となる。
従来の反射型スクリーンとして、例えば、特許文献１（特開平１１−３８５０９号公報）には、図６０に示すような構成の反射型スクリーンが開示されている。この反射型スクリーン１１０は、プリズムシート１１２の基材１１６の表面１１６Ａに、投射画像を拡散する光拡散層１１８が形成され、基材１１６の裏面１１６Ｂには、光学的に透明な樹脂で構成されたストライプ状の複数のプリズム１２０がスクリーンの垂直方向に伸びて配列されている。このプリズム１２０はその断面が二等辺三角形状であって、一定の頂角と一定の辺長を有している。そしてプリズムシート１１２の裏面側のプリズム群に対向して、その対向面が実質的に透過光を吸収する黒色である光吸収シート１１４が、プリズムシート１１２と平行に配置されている。
上記特許文献１の反射型スクリーンでは、スクリーン面に対して大きい入射角をもって入射することが多い外乱光Ｒは、プリズムを透過させて光吸収シート１１４によって吸収させる。
図６１〜図６３は、上記特許文献１の反射型スクリーンにおけるプリズムの作用について説明するための図で、該反射型スクリーンを構成するプリズム１２０と基材１１６のみを概略的に示すものである。特許文献１の反射型スクリーンにおいて、プリズム１２０の屈折率の異なる境界面での反射を考える際に、反射型スクリーン１１０への投射光の入射角度は、水平方向にて０°〜１５°前後の幅を持つため、反射型スクリーン１１０に面直に入射した光は、図６１に示すように回帰反射となるが、ある程度入射角を有する光については、図６２に示す１回目のプリズム境界面、もしくは図６３に示す２回目のプリズム境界面にて反射することなく透過し、光吸収シート１１４で吸収されてしまう。このような作用によって、点光源から反射型スクリーン１１０の画面中心軸方向に投射された投射光に対し、反射型スクリーン１１０の画面中央部と画面周辺部とにおいて大きな輝度差が生じ、周辺視野角及びＣＣＲ（画面／周辺輝度比）が劣化するという問題が生じる。このようなＣＣＲの劣化は、画面がワイドスクリーンであればより顕著に発現することになる。
また、上述のように、特許文献１の反射型スクリーン１１０は、垂直方向に伸びて配列されたプリズム１２０の作用によって視野角拡大が図られ、また反射型スクリーン１１０に大きい入射角を有する光を吸収することから、明るいところにおける投射のコントラストの改善を実現しようとしている。しかしながら、明るいとは太陽光が室内に入ってくる場合のように、スクリーンに対して水平方向に入射する光を考慮しているにすぎない。コントラストは、上記のように水平方向に入射する外乱光を光吸収シート１１４で吸収することで改善される。しかしながら、外乱光が主に電灯のように、上方から反射型スクリーン１１０に入射する場合については、全く考慮されていない。すなわち、垂直方向に伸びるプリズム１２０では、上方から入射する外乱光を光吸収シートで吸収させる効果を期待できない。
すなわち、上記特許文献１のスクリーンを主に電灯の光のもとで屋内で用いた場合、主に上方からスクリーン周辺部に入射する投射光は、図６２，図６３に示すようにプリズム１２０の働きで透過する光が多くなり、それが吸収されてしまうので、投射光でありながら観客側に戻らず暗くなってしまい、特にワイドスクリーンでは、入射角の関係で暗さが顕著になる。
上記のことから、反射型スクリーンにおいては、明室における良好なコントラストを有し、さらには、水平方向の視野角と、画面ＣＣＲとを良好にする特性が求められる。
本発明は、上述のごとき実情に鑑みてなされたもので、明室においても明るくコントラストが高い反射型スクリーン、さらには上記特性に加えて水平方向視野角が良好であって、かつ画面ＣＣＲが良好な反射型スクリーンを提供することを目的とするものである。
【特許文献１】  特開平１１−３８５０９号公報
【発明の開示】
本発明の反射型スクリーンの第１の技術手段は、光の拡散を絞る拡散層と、該拡散層を透過した透過光を反射する反射層とを有することを特徴としている。
また本発明の反射型スクリーンの第２の技術手段は、スクリーンの垂直方向での拡散に比して水平方向で相対的に拡散を大きくしたことを特徴としている。
また本発明の反射型スクリーンの第３の技術手段は、投射光の入射側より、光の拡散を絞る拡散層と、水平方向の視野角を拡大する水平方向視野角拡大層と、該水平方向視野角拡大層を透過した透過光を反射する反射層とを有することを特徴としている。
また本発明の反射型スクリーンの第４の技術手段は、上記第３の技術手段において、前記水平方向視野角拡大層は、複数の凸条が連続的に配列され、前記凸条の頂部が、前記反射層側に配置するように構成されていることを特徴としている。
また本発明の反射型スクリーンの第５の技術手段は、上記第３または４の技術手段において、前記水平方向視野角拡大層は、複数の凸条が連続的に配列され、前記複数の凸条は、各前記凸条の長手方向が前記反射型スクリーンの垂直方向に一致するように連続して配設されていることを特徴としている。
また本発明の反射型スクリーンの第６の技術手段は、上記第４または５の技術手段において、前記凸条の配列方向のピッチは、２００μｍ以下、より好ましくは１５５μｍ以下であることを特徴としている。
また本発明の反射型スクリーンの第７の技術手段は、上記第４ないし６のいずれか１の技術手段において、前記水平方向視野角拡大層は、前記凸条がシリンドリカル形状であることを特徴としている。
また本発明の反射型スクリーンの第８の技術手段は、上記第４ないし６のいずれか１の技術手段において、前記水平方向視野角拡大層は、前記凸条がプリズム形状であることを特徴としている。
また本発明の反射型スクリーンの第９の技術手段は、上記第４ないし６のいずれか１の技術手段において、前記水平方向視野角拡大層は、前記凸条がウェーブ形状であることを特徴としている。
また本発明の反射型スクリーンの第１０の技術手段は、上記第３ないし９のいずれか１の技術手段において、前記反射層は、前記水平方向視野角拡大層の背面側に非接着で配設されてなることを特徴としている。
また本発明の反射型スクリーンの第１１の技術手段は、上記第３ないし９のいずれか１の技術手段において、前記反射層は、前記水平方向視野角拡大層の背面側に、接着層を介して接着されていることを特徴としている。
また本発明の反射型スクリーンの第１２の技術手段は、上記第１０または第１１の技術手段において、前記水平方向視野角拡大層の前記凸条がシリンドリカル形状であって、前記反射層は、該シリンドリカル形状によって形成されるシリンドリカルレンズの焦点位置から前記凸条の頂部までの間に配設されることを特徴としている。
また本発明の反射型スクリーンの第１３の技術手段は、上記第１２の技術手段において、前記反射層と前記水平方向視野角拡大層の凸条頂部との距離は、前記シリンドリカルレンズの焦点位置と前記水平方向視野角拡大層の凸条頂部までの距離の１／７以下の範囲にあることを特徴としている。
また本発明の反射型スクリーンの第１４の技術手段は、上記第１０，第１２及び第１３のいずれか１の技術手段において、前記反射層と前記水平方向視野角拡大層との距離が調節可能であることを特徴としている。
また本発明の反射型スクリーンの第１５の技術手段は、上記第１１の技術手段において、前記反射層と前記水平方向視野角拡大層とは、相互に部分的に接着され、前記反射層と前記水平方向視野角拡大層との非接着部分において、該水平方向視野角拡大層と該接着層との間に、該水平方向視野角拡大層とは屈折率が異なる媒質が配設されていることを特徴としている。
また本発明の反射型スクリーンの第１６の技術手段は、上記第４ないし９のいずれか１の技術手段において、前記反射層は、前記水平方向視野角拡大層の凸条列の表面に、蒸着または塗布によって層形成されていることを特徴としている。
また本発明の反射型スクリーンの第１７の技術手段は、上記第４ないし９のいずれか１の技術手段において、前記反射層は、前記凸条列表面に積層した反射シートによって形成されていることを特徴としている。
また本発明の反射型スクリーンの第１８の技術手段は、上記第３ないし１７のいずれか１の技術手段において、前記拡散層は、ビーズ及び／または顔料による拡散材が分散した透明樹脂バインダによって形成されていることを特徴としている。
また本発明の反射型スクリーンの第１９の技術手段は、上記第１８の技術手段において、前記拡散層は、拡散材の粒径，材質，含有量，粒度のいずれかまたは複数が異なる複数の層によって構成され、前記拡散層の表面粗さと該拡散層の内部ヘイズとが個別に制御されていることを特徴としている。
また本発明の反射型スクリーンの第２０の技術手段は、上記第３ないし１９のいずれか１の技術手段において、該反射型スクリーンは、ＴＩＮＴを含むＴＩＮＴ層を有し、該ＴＩＮＴ層は、前記水平方向視野角拡大層に対して投射光の入射側に積層されていることを特徴としている。
また本発明の反射型スクリーンの第２１の技術手段は、上記第３ないし２０のいずれか１の技術手段において、該反射型スクリーンは、ブラックマトリクスが形成されたブラックマトリクス層を有し、該ブラックマトリクス層は、前記水平方向視野角拡大層に対して投射光の入射側に積層されていることを特徴としている。
また本発明の反射型スクリーンの第２２の技術手段は、上記第３ないし２１のいずれか１の技術手段において、該反射型スクリーンは、透明樹脂シートによる基材を有し、該基材は、前記水平方向視野角拡大層に対して投射光の入射側に積層されていることを特徴としている。
また本発明の反射型スクリーンの第２３の技術手段は、上記第４ないし２２のいずれか１の技術手段において、前記水平方向視野角拡大層は、シート状の基材と、該基材の表面に前記凸条の配列を形成してなることを特徴としている。
また本発明の反射型スクリーンの第２４の技術手段は、正面方向の投影装置からの投影光を受けて投影像を形成する反射型スクリーンにおいて、該反射型スクリーンは、外乱光が主に上方から入射する屋内で用いられる横長型スクリーンであって、光拡散部と、該光拡散部を透過した投影光を水平方向の視野角を広げる方向に反射させると共に、当該光拡散部を透過した外乱光を下方に反射させる視野角拡大反射部とを有してなることを特徴としている。
また本発明の反射型スクリーンの第２５の技術手段は、上記第２４の技術手段において、該反射型スクリーンは、視野角が１５度以上であることを特徴としている。
また本発明の反射型スクリーンの第２６の技術手段は、上記第２４または２５の技術手段において、該反射型スクリーンと観察者との距離が１．５ｍ以上であることを特徴としている。
また本発明の反射型スクリーンの第２７の技術手段は、上記第２４ないし２６のいずれか１の技術手段において、前記視野角拡大反射部は、水平方向に凹凸が形成され、各該凹凸は該反射型スクリーンの垂直方向に伸びて配列されていることを特徴としている。
また本発明の反射型スクリーンの第２８の技術手段は、上記第２４ないし２７のいずれか１の技術手段において、前記視野角拡大反射部は、凹凸の視野角拡大層と、該視野角拡大層の背面に位置する反射層とからなることを特徴としている。
【図面の簡単な説明】  図１Ａは、本発明の反射型スクリーンの一実施例を説明するための図で、照明光と投射装置からの投射光との挙動について説明する図である。
図１Ｂは、本発明の反射型スクリーンの一実施例を説明するための図で、弱拡散層と反射層を有した反射型スクリーンの構成例を示す図である。
図２は、マットスクリーンにおける照明光と投射装置からの投射光との挙動について説明するための図である。
図３は、本発明の反射型スクリーンにおける水平方向と垂直方向の視野角特性の一例を示す図である。
図４は、本発明の反射型スクリーンの他の実施例を説明するための図である。
図５は、本発明の反射型スクリーンの更に他の実施例を説明するための図である。
図６は、本発明の反射型スクリーンの更に他の実施例を説明するための図である。
図７は、本発明の反射型スクリーンの更に他の実施例を説明するための図である。
図８は、本発明の反射型スクリーンの更に他の実施例を説明するための図である。
図９は、本発明の反射型スクリーンの更に他の実施例を説明するための図である。
図１０は、本発明の反射型スクリーンの更に他の実施例を説明するための図である。
図１１は、本発明の反射型スクリーンの更に他の実施例を説明するための図である。
図１２は、本発明の反射型スクリーンの更に他の実施例を説明するための図である。
図１３は、本発明の反射型スクリーンの更に他の実施例を説明するための図である。
図１４は、本発明の反射型スクリーンの更に他の実施例を説明するための図である。
図１５は、本発明の反射型スクリーンの更に他の実施例を説明するための図である。
図１６は、本発明の反射型スクリーンの更に他の実施例を説明するための図である。
図１７は、本発明の反射型スクリーンの更に他の実施例を説明するための図である。
図１８は、本発明の反射型スクリーンの更に他の実施例を説明するための図である。
図１９は、本発明の反射型スクリーンの更に他の実施例を説明するための図である。
図２０は、本発明の反射型スクリーンの更に他の実施例を説明するための図である。
図２１は、本発明の反射型スクリーンの更に他の実施例を説明するための図である。
図２２は、本発明の反射型スクリーンの更に他の実施例を説明するための図である。
図２３は、本発明の反射型スクリーンの更に他の実施例を説明するための図である。
図２４は、本発明の反射型スクリーンの更に他の実施例を説明するための図である。
図２５は、本発明の反射型スクリーンの更に他の実施例を説明するための図である。
図２６は、本発明の反射型スクリーンの更に他の実施例を説明するための図である。
図２７は、本発明の反射型スクリーンの更に他の実施例を説明するための図である。
図２８は、本発明の反射型スクリーンの更に他の実施例を説明するための図である。
図２９は、本発明の反射型スクリーンの更に他の実施例を説明するための図である。
図３０は、本発明の反射型スクリーンの更に他の実施例を説明するための図である。
図３１は、本発明の反射型スクリーンの更に他の実施例を説明するための図である。
図３２は、本発明の反射型スクリーンの更に他の実施例を説明するための図である。
図３３は、本発明の反射型スクリーンの更に他の実施例を説明するための図である。
図３４は、本発明の反射型スクリーンの更に他の実施例を説明するための図である。
図３５は、本発明の反射型スクリーンの更に他の実施例を説明するための図である。
図３６は、本発明の反射型スクリーンの更に他の実施例を説明するための図である。
図３７は、本発明の反射型スクリーンの更に他の実施例を説明するための図である。
図３８は、本発明の反射型スクリーンの更に他の実施例を説明するための図である。
図３９は、本発明の反射型スクリーンの更に他の実施例を説明するための図である。
図４０は、本発明の反射型スクリーンの更に他の実施例を説明するための図である。
図４１は、本発明の反射型スクリーンの更に他の実施例を説明するための図である。
図４２は、本発明の反射型スクリーンの更に他の実施例を説明するための図である。
図４３は、本発明の反射型スクリーンの更に他の実施例を説明するための図である。
図４４は、本発明の反射型スクリーンの更に他の実施例を説明するための図である。
図４５は、本発明の反射型スクリーンの更に他の実施例を説明するための図である。
図４６は、本発明の反射型スクリーンの更に他の実施例を説明するための図である。
図４７は、本発明の反射型スクリーンの更に他の実施例を説明するための図である。
図４８は、本発明の反射型スクリーンの更に他の実施例を説明するための図である。
図４９は、本発明の反射型スクリーンの更に他の実施例を説明するための図である。
図５０は、本発明の反射型スクリーンの更に他の実施例を説明するための図である。
図５１は、本発明に関わる反射型スクリーンにおける輝度測定方法を説明するための図である。
図５２は、反射型スクリーンの輝度測定位置を説明するための図である。
図５３は、反射型スクリーンの各輝度測定位置における輝度測定結果と画面コントラストの計算結果を示す表である。
図５４Ａは、水平方向視野角拡大層と反射層との距離が０のときの光路をシミュレーションした図である。
図５４Ｂは、図５４Ａに対応する視野角特性をシミュレーションした図である。
図５５Ａは、水平方向視野角拡大層と反射層との距離が２０μｍのときの光路をシミュレーションした図である。
図５５Ｂは、図５５Ａに対応する視野角特性をシミュレーションした図である。
図５６Ａは、水平方向視野角拡大層と反射層との距離が３０μｍのときの光路をシミュレーションした図である。
図５６Ｂは、図５６Ａに対応する視野角特性をシミュレーションした図である。
図５７Ａは、水平方向視野角拡大層と反射層との距離が１４０μｍのときの光路をシミュレーションした図である。
図５７Ｂは、図５７Ａに対応する視野角特性をシミュレーションした図である。
図５８Ａは、水平方向視野角拡大層と反射層との距離が２００μｍのときの光路をシミュレーションした図である。
図５８Ｂは、図５８Ａに対応する視野角特性をシミュレーションした図である。
図５９は、水平方向視野角拡大層と反射層との距離が６０μｍのときの視野角特性をシミュレーションした図である。
図６０は、特開平１１−３８５０９号公報に記載された反射型スクリーンの構成を示す図である。
図６１は、特開平１１−３８５０９号公報に記載された反射型スクリーンの作用について説明するための図である。
図６２は、特開平１１−３８５０９号公報に記載された反射型スクリーンの作用について説明するための他の図である。
図６３は、特開平１１−３８５０９号公報に記載された反射型スクリーンの作用について説明するための更に他の図である。
【発明を実施するための最良の形態】  以下に本発明の反射型スクリーンの具体的な実施例を添付された図面を参照して説明する。なお、実施例を説明するための全図において、同様の機能を有する部分には同じ符号を付け、その繰り返しの説明は省略する。本発明の反射型スクリーンは、明室においてもコントラストが高く、良好な水平方向視野角とＣＣＲとを得ることができるようにしたものである。明室におけるスクリーンのコントラストの低下は、投射装置からの投射光だけでなく、室内の照明灯等の外乱要因となる外乱光が観察者側に反射することにより発生する。従って、投射装置からの投射光と照明灯等による外乱光とのスクリーンに対する入射角の違いによって、これらの光の反射方向を分離させ、観察者側に対しては、できるだけ投射装置による投射光の反射光だけが向かうようにすることにより、明室コントラストを改善することができるようになる。
上記のごとくの機能を実現するために、本発明では、正反射によってスクリーン正面の投射装置からの投射光をスクリーン正面に反射させ、スクリーン斜め上方から入射する照明灯からの外乱光を斜め下方に反射させることにより、明室コントラストを改善する。
このときに、入射光を正反射させるだけで、結像面における拡散がなければ、画像がみえなくなってしまうので、結像面にて投射光を拡散させなければならない。
図１Ａ及び図１Ｂは、本発明の反射型スクリーンの一実施例を説明するための図で、反射結像面の拡散特性が弱拡散であるスクリーンにおける、照明光と投射装置からの投射光との挙動について説明するための図を図１Ａに、光の拡散度合いを押さえた弱拡散層と反射層を有した反射型スクリーンの構成例を図１Ｂに示すものである。本発明の反射型スクリーンの第１の実施例は、図１Ｂに示すように、拡散度合いを絞る拡散層４０と、反射型スクリーンに入射して拡散層４０を透過した透過光を反射する反射層３０とを有している。拡散層４０は、後述する弱拡散特性を備え、反射型スクリーン１の上方から入射する外乱光に対する垂直方向の拡散を絞るようにする。これによって、外乱光が観察者Ｉの方向に反射することによるコントラストの低下を抑制することができる。
図１Ａにおいて、光源Ｂからの照明光Ｃが反射型スクリーン１にてＨ方向へ反射されるとき、この反射光の拡散をＧとする。この拡散光の観察者Ｉ方向への成分はＪにて表される。また、同様に投射装置Ｐからの投射光Ｆが反射型スクリーン１にてＥ方向に反射されるとき、この反射光の拡散をＤとするとこの拡散光の観察者Ｉ方向への成分はＫにて表される。このときのＪとＫとの長さの比が外光の影響具合を表すものとなる。
上記の弱拡散層を持つスクリーンに対して、拡散度の強いマットスクリーンを拡散層に用いた例を図２を用いて説明する。光源Ｂからの照明光ＣがスクリーンＡにてＨ方向へ反射されるとき、この反射光の拡散をＯとすると、この拡散光の観察者Ｉ方向への成分はＬにて表される。また、同様に、投射装置Ｐから投射光ＦがスクリーンＡにてＥ方向に反射されるとき、この反射光の拡散をＮとすると、この拡散光の観察者Ｉ方向への成分はＭにて表される。このときのＬとＭとの長さの比が外光の影響具合を表すものとなる。
スクリーンにおいて投射光が完全拡散するときの反射強度比は、入射角度に依存せず円形となり、入射照度により反射強度比を示す円の半径が異なる。またマットスクリーンにおける反射強度比は、上記図２に示すように上記の完全拡散の円形に比して少々縦長に変化する。さらに弱拡散のスクリーンにおいては、上記図１Ａに示すように拡散光の強度比はかなり細長いものとなる。このように拡散光の強度比が円形に比して縦長になる拡散を弱拡散といい、拡散を絞るという。
スクリーンの結像面に光の拡散層を設けて、画像を見えるようにすることは一般的に行われている。しかしながら、本発明の特徴の１つは光の拡散層における拡散度合いによって反射強度比の形状が円から縦長の楕円（図１ＡのＤ，Ｇ、図２のＯ，Ｎ）になる現象を、スクリーンよりも上方に電灯等の光源がある明室における投射画像のコントラスト改善に積極的に利用した点にある。
前述したように、結像面における投射光の拡散度合いを上げすぎると、明室において外乱光と投射光との区別がなくなり、コントラストの低下をまねく。このため、結像面の拡散度合いは、ある程度低く抑えた弱拡散層とする必要がある。
本発明の反射型スクリーンの第１の実施例は、図１Ｂに示すように光の拡散度合いを抑えた弱拡散特性を有する拡散層４０と、その拡散層４０を透過した光を反射する反射層３０を基本的な構成要素として備えるものとする。拡散層４０は、投射画像を結像し拡散度合いに応じた視野角特性を有し、反射層３０は投射装置からの投射光の反射効率を上げる機能を有している。また、拡散層４０では、スクリーン表面反射による投射レンズの写りこみ、拡散不足によるホットスポットまたはホットバンドの改善を行う。
上記のように、本実施例では、拡散度合いによる反射強度比を利用することによって、投射光とスクリーン上方からの外乱光とのコントラストを改善することができる。特に、適宜値の弱拡散層とすることにより外乱光の強さに応じた好ましいコントラスト比にすることができる。
また、反射層３０は反射率を上げることは勿論、電灯から拡散層４０を透過した外乱光を下方へ反射させ、観察者の目には入らないようにすることにより、コントラスト比の改善に寄与する。
拡散層４０と反射層３０とよりなる本実施例の反射型スクリーンにおいて、拡散層４０は弱拡散特性を有するが、最も好ましい弱拡散特性は、全光線透過率８０％以上、かつＨＡＺＥ（ヘイズ；曇り度）値が７５±１０％である。又、反射層３０は例えばアルミ層による鏡面が用いられる。このような特性の弱拡散層を用いることによって、スクリーン上方からの外乱光によるコントラスト低下や、拡散不足によるコントラスト低下を改善し、良好なコントラストの投射画像を得ることができる。例えば、投射距離とスクリーンの大きさとの関係で、スクリーンに対する光の入射角が中心部と周辺部とであまり変らない場合、正面から見た際にはコントラストの良好な投射画像を得ることができる。また、弱拡散特性をもつ拡散層４０及び反射層３０の具体的な構成は、後述する各実施例における拡散層４０及び反射層３０を適用することができる。
次に水平方向への視野角拡大機能を付与した本発明の他の実施例について説明する。現在主流になりつつある１６：９等の大型画面においては、観察者が観察する画面の周辺部と中央部では、投射光のスクリーンへの入射角度において水平方向で大きな角度差が生じてしまうため、この角度差をカバーする十分な視野角を得ることができるように水平方向の拡散が必要となる。
そこで本発明の次の特徴は、水平方向の視野角を積極的に拡大するため、拡散層４０を透過した投射光を積極的に水平方向に拡散するように反射する水平方向の視野角拡大反射部（以下の実施例では水平方向視野角拡大層と反射層に該当）を設けることである。これにより、更に水平方向の視野角拡大とＣＣＲの劣化を防止することができる。
特許文献１のように吸収層を設けていると、既に述べたように、大型スクリーンに対して投射装置から入射する投射光が、その入射角度に依存してプリズムを透過した場合、その光は吸収されて反射光にならないのに対して、上記本発明の構成によればスクリーンに入射した光はほぼ反射光になるので、ＣＣＲの劣化を防ぐことができる。
以下に説明する本発明の反射型スクリーンの他の実施例においては、上述したごとくの投射画像を結像する拡散層、及び投射装置からの投射光の反射効率を上げるための反射層に加えて、水平方向の視野角を拡大する水平方向視野角拡大層を基本的に備える。
拡散層は、投射画像光を結像させるとともに、最適な拡散特性を付与することによってコントラスト比を改善する。また、拡散層では、スクリーン表面反射による投射レンズの写りこみ、拡散不足によるホットスポットまたはホットバンドの改善を行う。上述のように、結像面における投射光の拡散度合いを上げすぎると、明室における外乱光と投射光との区別がなくなり、コントラストの低下をまねくことから、拡散層は、光の拡散度合いを絞った、例えば弱拡散層であることが必要である。以下に説明する水平方向視野角拡大層を有する本発明の実施例においては、上記第１の実施例における拡散特性（全光線透過率８０％以上、かつＨＡＺＥ値が７５±１０％）の拡散層を好適に適用できるが、これに限定されることなく、スクリーンや投射装置の仕様あるいはスクリーンの使用方法に応じて最適なコントラストを得ることができる拡散特性を適宜選択することができる。
なお、本願請求の範囲第２４項に記載の光拡散部は、以下の実施例における拡散層が該当し、本願請求の範囲第２４項に記載の視野角拡大反射部は、以下の実施例における水平方向視野角拡大層及び反射層が該当し、本願請求の範囲第２８項に記載の視野角拡大層は、以下の実施例における水平方向視野角拡大層が該当する。
図３は、水平方向の視野角を拡大する水平方向視野角拡大層を備えた本発明の反射型スクリーンにおける水平方向と垂直方向の視野角特性の一例を示す図で、横軸に視野角（度）、縦軸に輝度（Ｇａｉｎ）をとったときの水平方向と垂直方向の特性の差を表したものである。本発明の反射型スクリーンは、図示するように、視野角の異方性を有しており、水平方向／垂直方向にて大きな特性の違いを示している。このような特性により、水平方向には広い視野角特性を有し、かつ照明光等の上方からの外乱光の観察者への反射を抑えて高コントラストを実現した反射型スクリーンを得ることができる。
図４ないし図６は、本発明の反射型スクリーンの他の実施例をそれぞれ説明するための図で、スクリーンの水平断面の構成を概略的に示すものである。また、光路ｉ，ｏは、本願発明の機能を説明することを目的とした概略的な光路を示すものである。以下の実施例についても同様とする。図４ないし図６において、１は反射型スクリーン、１０は透明樹脂シート、２０は水平方向視野角拡大層、３０は反射層、４０は拡散層、４１はアクリルビーズ、４２は透明樹脂バインダである。
反射型スクリーン１は、基材となる透明樹脂シート１０の片面に拡散層４０が形成され、その透明樹脂シート１０の他方の面には、水平方向視野角拡大層２０が形成されている。そして水平方向視野角拡大層２０のさらに外側表面には、反射層３０が配されている。投射装置からの投射光は、拡散層４０側に入射する。すなわち、本実施例の反射型スクリーンは、投射光の入射側から、拡散層４０，透明樹脂シート１０，水平方向視野角拡大層２０，反射層３０の順に配設されている。
拡散層４０には、弱拡散を実現するものとして、アクリルビーズ４１を拡散剤として分散させた透明樹脂バインダ４２を用いた拡散シートを好適に使用することができる。透明樹脂バインダ４２は、光学特性の良好な無色・高透過率の材料であって、アクリルビーズバインダを用いることにより、投射光の入射面である拡散層４０表面がマット状態となり、入射光に乱反射を生じさせ、入射部にての表面反射を減じ、良好な画像を得ることができる。
上記の拡散シートとしては、例えば、厚さおよそ１００μｍ，全光線透過率８０％以上、ＨＡＺＥ値７５±１０％のものを好適に用いることができる。
また、拡散層４０に分散する拡散剤としては、上記のごとくのアクリル系ビーズの他に、ウレタンビーズやスチレンビーズを用いてもよい。またこの他、顔料系の拡散剤などを使用してもよいが、顔料系は光を吸収し、これによって効率が落ち、透過率も悪くなるので、上記のビーズを用いるほうが好適である。また顔料系拡散剤の方が拡散度合いを大きくすることができるが、本発明では強拡散を必要としないため、ビーズによる拡散剤にて必要な拡散度合いを付与することができる。また、拡散層４０の透過率が高いほど、拡散層４０を透過した入射光が水平方向視野角拡大層２０に多く到達することになり、観察者に戻る光はより水平方向視野角拡大層２０の影響を受ける。
拡散層４０は、基材となる透明樹脂シート１０の投射光の入射側に貼り合わせによって積層される。貼り合わせには、光学特性を阻害しない接着剤や粘着剤を使用することができる。また、上記のごとくの拡散シートを用いることなく、透明樹脂シート１０の表面に、拡散剤を添加したバインダ材料を塗布し、硬化させて層形成してもよい。このときに、光硬化性や熱硬化性のバインダ材料を用いることができ、あるいは溶剤に膨潤または溶解させたバインダ材料を透明樹脂シート１０に塗布し、その後溶剤を蒸散させて層形成してもよい。
この他、拡散層４０を形成する手法として、光拡散材を混合した透明樹脂バインダ４２のパウダーまたはビーズを押し出し機によってＴダイスから押し出して、溶融状態または半溶融状態で透明樹脂シート１０の表面に層形成し、その後冷却する手法を採ってもよい。
水平方向視野角拡大層２０は、水平方向の視野角を拡大する機能を有するもので、片面に凸条が連続して配列してなるシートによって形成される。この水平方向視野角拡大層２０は、投射光の入射側と反対側に各凸条の頂部が位置するように構成される。上記のような凸条が連続して配列したシートとしては、シリンドリカル形状が連続して配列したレンチキュラーレンズシート、各凸条がプリズム形状のプリズムシート、あるいは各凸条がウェーブ形状のウェーブシートを適用することができる。凸条が連続して配列した構成とは、換言すれば、反射型スクリーンの水平方向に凹凸が形成され、かつこの凹凸形状が反射型スクリーンの垂直方向に伸びている構成である。
図４は、上述のごとくのレンチキュラーレンズシートによる水平方向視野角拡大層２０の構成例を示し、図５は、プリズムシートによる水平方向視野角拡大層２０の構成例を示し、図６は、ウェーブシートによる水平方向視野角拡大層２０の構成例を示している。このようなレンチキュラー，プリズム，ウェーブ等の形状を有するシートの厚みは、２００μｍ以下とすることが好適である。また、これらの凸条の配列方向のピッチは、２００μｍ以下（画素サイズの１／１０以下）で、より好ましくは１５５μｍ以下とすることが好適である。また、プリズム形状の場合は、その頂角は１００°±１０°にすることが好適である。プリズムの頂角が９０°の場合には、プリズムに入射した光はプリズム面で回帰反射するが、頂角を１００°±１０°と大きくすることにより、投射装置後方の観察者に集光することができる。またウェーブ形状は、上記のプリズムの頂角部及び配列するプリズム間の谷部を曲線にして、全体をウェーブ状にしたものとして理解できる。
図４の光路ｉ，ｏに示すように、水平方向視野角拡大層２０は、水平方向の拡散特性にのみ寄与するものであって、レンチキュラー等の凸条列の配列方向に直交する延設方向（各凸条の長手方向）が、スクリーン設置時の垂直方向に一致するように構成することによって、水平方向の拡散度を大きくし、水平方向の視野角を拡大する。このような水平方向視野角拡大層２０の機能によって、スクリーンの垂直方向と水平方向の反射特性（すなわち拡散特性）に異方性が生じ、垂直方向においては弱拡散の拡散層４０によって絞られた拡散特性を阻害することなく、垂直方向からの外乱光によるコントラスト低下を防ぐとともに、水平方向には視野角が拡大するように反射光を拡散させることにより、投射光の水平方向の視野角特性を向上させることができる。すなわち、水平方向視野角拡大層２０により、スクリーンの水平方向の視野角分布は変化するが、垂直方向の視野角分布は変化しない。垂直方向の視野角分布は、厳密にはピーク値の大きさは変わるが、分布状況は変化しない。なお、投射装置の投射レンズは焦点深度を持つため、その焦点深度における結像範囲をもつ。従って本反射型スクリーンでは、反射層３０による反射によって２回結像となる。
また、水平方向視野角拡大層２０の凸条の形状、曲率などについて最適化を行う際は、視野角にも影響を及ぼす拡散分布や、拡散層４０にての集光度（全反射による迷光）なども考慮に入れる必要があり、また、一回目の結像から二回目の結像までの光路長は小さくし、拡散層４０内での反射光の分布にも注意を要する。
水平方向視野角拡大層２０に入射した光は、凸条面で屈折を受けながら透過し、反射層３０で反射されて再度凸条面に入射して再び凸条面の作用を受けて出射する。また、入射角によっては入射光が凸条面で反射して、その反射光が凸条面のさらに他の部分に入射し、ここでさらに屈折、反射等の作用を受ける。そして凸条の形状によっては、凸条面における反射光は反射層３０に抜けることなくスクリーン前面に反射する。
シリンドリカル形状の凸条では、シリンドリカルの円筒形状面に反って屈折が起こるため、凸条及び反射層３０によって反射した光は、連続的に広がりをもつ。また、このためにＣＣＲの変動も少ない。更にシリンドリカル形状によれば、水平方向の視野角をプリズム形状よりも広げることができる。また、プリズム形状の凸条では、回帰性が高くなるが、プリズムの頂角の最適化や反射層３０によるフレネル反射等により、視野角拡大効果を得ることができる。さらにウェーブ形状の凸条では、プリズムの頂角にＲ形状を備えたものに近いため、シリンドリカル形状と同様の効果を奏し、正反射に比較して連続的に広がりをもった反射特性が得られる。
反射層３０は、投射装置からの投射光の利用効率を上げるために設置されるもので、反射率の高い反射面をもった平板の反射板を水平方向視野角拡大層２０の凸条形成側の表面に配置することによって構成される。このときに、本実施例においては、反射層３０と水平方向視野角拡大層２０とは近接して配置されればよく、必ずしも接着層によって積層する必要はない。例えば、ある程度の剛性をもった反射板を上記反射層３０として用い、反射型スクリーン１の枠の部分で透明樹脂シート１０に形成された反射板を固定するようにしてもよい。反射層３０の反射面は、例えば、銀やアルミニウムを基材に蒸着または塗布することによって構成することができる。
上記のごとくの反射板を用いて反射型スクリーンを作製するときに、予め反射板の中央部を水平方向視野角拡大層２０側に押し込んで、反射板を湾曲させておくことによって反射板の経時変化による特性劣化に対処することができる。すなわち、反射層３０と水平方向視野角拡大層２０とのギャップが経時で変化して広がってしまうと、反射層３０と水平方向視野角拡大層２０とにおける乱反射が強くなって、拡散特性が変化してしまう。これを防ぐために、反射板の中央が水平方向視野角拡大層２０側に突出する方向に反射板を湾曲させておき、この状態で反射板が水平方向視野角拡大層２０に密着するように反射板の周囲の枠部分を固定する。こうして、反射板が水平方向視野角拡大層２０に密着しようとする内部応力を反射板に保持せしめたまま固定することによって、反射板と水平方向視野角拡大層２０のギャップが広がろうとする変化を抑制することができる。
上記の手法は、反射板のみならず、水平方向視野角拡大層２０側の部材に対しても適用することができる。この場合、水平方向視野角拡大層２０の中央部が反射板側に突出する方向に湾曲させた上で、これらを積層固定すればよい。さらには、反射板と水平方向視野角拡大層２０側の部材の両方を、上記の手法で湾曲させた上で積層固定してもよい。
図７は、本発明による反射型スクリーンの更に他の実施例を説明するための図で、スクリーンの水平断面の構成を概略的に示すものである。本実施例の反射型スクリーンは、図４の構成に加えて、外乱光の成分を吸収してさらにコントラストを向上させるようにしたＴＩＮＴ層５０を、拡散層４０の入射側表面に形成した構成を有するものである。
ＴＩＮＴ層５０における透過率を低くしすぎると画面輝度が低下するため、透過率を７０％前後とすることが好適である。また、分光特性については、可視光域にて癖のないフラットな透過分光分布特性を有するもの、または、投射装置から出射する投射光の分光分布やスクリーンの他部材の分光反射分布を補うよう、長波長側のみもしくは、長波長側と短波長側の透過率が他に比べて高いものを選定する。
ＴＩＮＴ層５０については、シートを直接染色する方法、表面に顔料を塗布する方法などが考えられるが、本実施例では、調色及び透過率の制御が容易であるため水溶染料による染色を適用する。すなわち、本実施例では、拡散層４０の表面に水溶染料を塗布して染色することによってＴＩＮＴ層５０を形成する。このときのＴＩＮＴ層５０の厚さは、２５μｍとした。また、ＴＩＮＴを添加した樹脂シートもしくは表面にＴＩＮＴ層を予め形成した樹脂シートを上記ＴＩＮＴ層５０として用い、拡散層４０に貼り合わせて積層するようにしてもよい。
ＴＩＮＴ層５０は、図８に示すように透明樹脂シート１０と拡散層４０との間に積層してもよく、また図９に示すように、透明樹脂シート１０と水平方向視野角拡大層２０との間に積層してもよい。図７の構成によって拡散層４０の表面にＴＩＮＴ層５０を塗布形成すると、拡散層表面の凹凸がＴＩＮＴ層の材料によって充填され、拡散層表面の凹凸によって生じるべきＨＡＺＥが低下して、本来拡散層表面の凹凸と拡散層内部の拡散剤とによって発現する拡散層全体のＨＡＺＥが低下する。従って、その特性変化を見込んで拡散層４０の拡散特性を設計する必要がある。図８の構成は、ＴＩＮＴ層５０の配設位置が最も好適といえ、この場合、画像の黒が最も沈み、画像が締まってみえる。
さらには、ＴＩＮＴ層５０を備えた各構成例は、図５及び図６にそれぞれ示したごとくのプリズム形状の水平方向視野角拡大層２０及びウェーブ形状の水平方向視野角拡大層２０を用いた構成にも適用できる。拡散層４０の入射側にＴＩＮＴ層５０を有し、水平方向視野角拡大層２０としてプリズムシート及びウェーブシートを用いた構成例をそれぞれ図１０及び図１１に示す。
図１２は、本発明の反射型スクリーンの更に他の実施例を説明するための図で、スクリーンの水平断面の構成を概略的に示すものである。図１２において、４０ａ，４０ｂは拡散層、４１ａ，４１ｂは拡散材として使用するアクリルビーズ、４２ａ，４２ｂは透明樹脂バインダである。
上記各実施例の構成では、拡散層４０は単層構成であったが、本実施例では拡散層４０を多層構成としている。ここでは、２層の拡散層４０ａ，４０ｂを積層して構成している。本構成では、各拡散層４０ａ，４０ｂにそれぞれ分散させるアクリルビーズ４１ａ，４１ｂの粒径，材質，含有量，粒度分布を変えて層構成することにより、入射面の表面の表面粗さと拡散層４０のＨＡＺＥ（表面粗さに依存しない内部ＨＡＺＥ）とを別々に制御することができる。ここでは、複数の粒度のビーズを混合してその混合比によって上記の粒度分布を制御するようにしてもよい。
入射面側の拡散層４０ａの表面粗さを適度に大きくして最適化することにより、拡散層４０ａの表面における反射光を拡散させ、例えば、観察者から見た投射装置の瞳像や、室内の蛍光灯の像などを目立ちにくくすることができる。
また、反射層側の拡散層４０ｂのＨＡＺＥを大きくすることにより、投射装置の投射レンズによるホットスポットまたはホットバンドを低減させることができる。
なお、図１２に示すごとくの２層構成の拡散層４０は、上述した各実施例の全ての拡散層４０に適用することができる。拡散層４０を２層構成とし、水平方向視野角拡大層２０としてプリズムシート及びウェーブシートを用いた構成例をそれぞれ図１３及び図１４に示す。また、上記図１２ないし図１４の構成に対して、さらに拡散層の入射光側表面に上述のごとくのＴＩＮＴ層５０を配した構成例をそれぞれ図１５ないし図１７に示す。さらに、２層構成の拡散層４０を有する図１２の構成に対して、各拡散層４０ａ，４０ｂの間にＴＩＮＴ層５０を配した構成を図１８に示す。
また、上記各実施例の構成において、拡散層４０を構成する透明樹脂バインダにＴＩＮＴを添加することによって、ＴＩＮＴ層と拡散層とを兼ね備えるように構成してもよい。図４の構成の拡散層４０に、ＴＩＮＴを添加した例を図１９に示し、図１２の構成の拡散層４０の反射層側の拡散層４０ｂにＴＩＮＴを添加した例を図２０に示す。
図２１ないし図２５は、それぞれ本発明の反射型スクリーンの更に他の実施例を説明するための図で、スクリーンの水平断面の構成を概略的に示すものである。本実施例では、スクリーンの発光に寄与しない部分、すなわち光路とならない部分に黒色塗料によるブラックマトリクス層６０を形成する。ブラックマトリクス層６０を形成することによって、照明灯等の外乱光を吸収することができ、これにより、投射画像の黒色を引き締めて視覚効果を向上させることができる。ブラックマトリクスは、水平方向視野角拡大層２０のデザインに合わせて、輝度を減じることなく視覚効果を最も効率よく向上できるようにデザインされる。例えば、ブラックマトリクス層６０として、ブラックストライプを用いることができる。各ストライプは、例えば、水平方向視野角拡大層２０の各凸条（レンチキュラー，プリズム，ウェーブ等）の配設ピッチに合わせて、ストライプがスクリーンの垂直方向に合致するように配置される。
上記のようなブラックマトリクス層６０は、水平方向視野角拡大層２０の入射側の最適位置に積層することができる。図２１は、ブラックマトリクス層６０を拡散層４０と透明樹脂シート１０との間に積層した構成を示し、図２２は、ブラックマトリクス層６０を拡散層４０の入射側表面に積層した構成を示し、図２３は、ブラックマトリクス層６０を透明樹脂シート１０と水平方向視野角拡大層２０との間に積層した構成を示し、図２４は２層構成の拡散層４０ａ，４０ｂを備えた拡散層４０と透明樹脂シート１０との間に、ブラックマトリクス層６０を積層した構成を示し、図２５は２層の拡散層４０ａと４０ｂとの間にブラックマトリクス層６０を積層した構成を示すものである。なお、これらの構成は、上述したごとくのプリズム形状の水平方向視野角拡大層及びウェーブ形状の水平方向視野角拡大層に適用できる。
なお、上述のようにＴＩＮＴ層５０及びブラックマトリクス層６０は、投射画像の黒を引き締めて視覚効果を高めることができる。このときに、ＴＩＮＴ層５０及びブラックマトリクス層６０は、投射光の一部を吸収するが、この吸収は、投射画像の黒の引き締め効果を発揮するための小量の吸収であって、例えば上記特許文献１の光吸収シートのような吸収を目的とするものとは光吸収のレベルが大きく異なるものである。
図２６は、本発明の反射型スクリーンの更に他の実施例を説明するための図で、スクリーン水平方向断面の構成を概略的に示すものである。前述の実施例では、反射層３０は、水平方向視野角拡大層２０に対して非接着で配設されていたが、本実施例においては、反射層３０と水平方向視野角拡大層２０とを接着層７０を設けて接着する。水平方向視野角拡大層２０の凸条形状の効果を減殺しないようにするために、接着層７０に使用する接着剤もしくは粘着剤の屈折率は、水平方向視野角拡大層２０の構成素材の屈折率とは異なるようにすることが好ましい。
本実施例においては、反射層３０の表面に接着層７０を形成し、この接着層７０を水平方向視野角拡大層２０の凸条の表面に押圧することによって、水平方向視野角拡大層２０に対して接着層７０を介して反射層３０を接着することができる。このときに、反射層３０と水平方向視野角拡大層２０とは、凸条の頂部近傍において接着層７０を介して部分的に接着され、凸条間の非接着部分においては、水平方向視野角拡大層２０と接着層７０との間に、空隙部７１が形成される。このときに、空隙部７１となる部分に、水平方向視野角拡大層２０とは屈折率の異なる他の媒質、例えば、グリス等を封入してもよい。
例えば、接着層７０の層厚を２０μｍとし、高さ（積層方向の厚さ）が５０μｍの凸条を有する水平方向視野角拡大層２０に接着層７０を介して反射層３０を接着すると、水平方向視野角拡大層２０と反射層３０との間が全て接着層７０で充填されることなく、各凸条間に空隙部７１が形成される。
なお、接着層７０を用いた構成においては、上記のように空隙部７１を形成してもよく、また、水平方向視野角拡大層２０とは屈折率の異なる流動性の高い接着剤または粘着剤を用いて、水平方向視野角拡大層２０と反射層３０との間が接着層７０で完全に充填されるようにしてもよい。
さらに上記のごとくの水平方向視野角拡大層２０に対して反射層３０を接着する構成は、上述した各実施例の反射層３０に適用することができる。  図２７は、本発明の反射型スクリーンの更に他の実施例を説明するための図で、スクリーンの水平断面の構成を概略的に示すものである。本実施例の構成は、水平方向視野角拡大層２０の表面に反射層３０となる材料を蒸着または塗布することによって、反射層３０を形成している。反射層３０は、例えば、銀やアルミニウムを水平方向視野角拡大層２０の凸条配列面に蒸着し、もしくはこれらの含有材料を塗布することによって形成することができる。また、反射層３０をスパッタリングによって層形成してもよい。
すなわち、反射層３０は、銀またはアルミニウムを蒸着またはスパッタリングまたは塗布等によって形成したミラー層であるため、反射効率を高くすることができ、スクリーン１の正面方向へのゲインを向上させ、またスクリーン１に対して大きな入射角で入射する外乱光を観察者側に反射しないようにすることができる。本発明の反射型スクリーンは、これらの機能によりコントラストの高い投射画像を提供することができる。
上記のごとくの水平方向視野角拡大層２０に直接形成する反射層３０の構成は、上述した各実施例の反射層３０に適用することができる。図２７は、図４の構成に本実施例の蒸着または塗布等による反射層３０を適用した構成例を示すものであるが、この他の例として、図７の構成に対して上記反射層３０を適用した構成を図２８に示し、図８の構成に対して上記反射層３０を適用した構成を図２９に示す。さらに図１２の構成に対して上記反射層３０を適用した構成を図３０に示し、図２１の構成に対して上記反射層３０を適用した構成を図３１に示す。
図３２は、本発明の反射型スクリーンの更に他の実施例を説明するための図で、スクリーンの水平断面の構成を概略的に示すものである。上述した各実施例において、透明樹脂シート１０を使用することなく積層構成してもよい。例えば、図３２に示す構成は、図４に示すスクリーン１において、透明樹脂シート１０を用いることなく、水平方向視野角拡大層２０を構成するレンチキュラーレンズシートに直接アクリルビーズバインダを層形成して拡散層４０を構成したものである。同様に上述の全ての実施例において、透明樹脂シート１０を用いずに水平方向視野角拡大層２０を基材シートとして積層構成を実現することができる。
図３３及び図３４は、図３２の構成において、水平方向視野角拡大層２０としてプリズムシート及びウェーブシートを用いた構成をそれぞれ示すものである。また、図３５ないし図３７は、図１２ないし図１４の構成において、透明樹脂シート１０を用いずに構成した例をそれぞれ示すものである。さらに、図３８ないし図４０は、図３５ないし図３７の構成において、拡散層４０の入射側にさらに上述のごとくのＴＩＮＴ層５０を積層した構成を示すものである。さらに図４０は、ブラックマトリクス層６０を備えた図２１の構成において、透明樹脂シート１０を用いずに構成した例を示すものである。
図４２ないし図４４は、透明樹脂シート１０に直接形成したシリンドリカル形状による凸条列によって水平方向視野角拡大層を構成し、反射層３０を凸条列に蒸着または塗布によって層形成した構成例を示すものである。
図４２において、水平方向視野角拡大層は、基材となる透明樹脂シート１０の片面に、シリンドリカル形状が連続して配列したシリンドリカル形状部２１を一体形成してなる。シリンドリカル形状部２１は、各シリンドリカル形状の長手方向（円筒軸方向）がスクリーン１の設置時に垂直方向となるように構成されている。また、シリンドリカル形状の頂部が、反射層３０側に位置するように構成されている。シリンドリカル形状部２１は、反射層３０の形状を規定するもので、上記のように構成することにより、スクリーン１の水平方向の反射成分の拡散範囲を広げることができ、スクリーン１の視野角特性を向上させることができる。シリンドリカル形状部２１のシリンドリカル形状の配列ピッチは、上述の実施例と同様に、２００μｍ以下（画素ピッチの１／１０以下）、好ましくは１５５μｍ以下とすることが好適である。
シリンドリカル形状部２１の表面には、反射層３０が形成されている。また、透明樹脂シート１０のシリンドリカル形状部２１の形成側と逆の面には、拡散層４０が積層される。この拡散層４０の表面を投射光の入射面として使用する。すなわち、本実施例のスクリーン１は、投射光の入射側から順に、拡散層４０，基材となる透明樹脂シート１０，シリンドリカル形状部２１，及び反射層３０が一体的に配設された構成を有している。
シリンドリカル形状部２１は、透明樹脂シート１０の片側に光硬化性樹脂層を塗布し、目的のシリンドリカル形状を有する型もしくはロールによってエンボスすることによって、シリンドリカル形状を形成した後、これを光硬化させることによって作成する。あるいは、透明樹脂シート１０の成形時に、もしくは後工程で、エンボスロールによって片面にシリンドリカル形状を直接形成するようにしてもよい。また、レーザ加工やフォトリソグラフィ等の光加工によってファインなシリンドリカル形状を形成するようにしてもよい。
図４３は、本発明の反射型スクリーンの更に他の実施例を説明するための図で、スクリーンの水平断面の構成を概略的に示すものである。図４３において、３０は反射層、３１は基材、３２は反射層及び基材よりなる反射シートである。
図４３の構成例において、反射層３０は、反射機能を有する反射シート３２をシリンドリカル形状部２１に対して貼り付けることによって形成している。すなわち、基材３１の表面に反射層３０が形成された反射シート３２を用意し、この反射シート３２をシリンドリカル形状部２１に貼り合わせることによって、図４２の実施例と同様の機能を得ることができる。基材３１は樹脂シートを使用することができ、この樹脂製の基材３１に蒸着やスパッタリングまたは塗布等によって銀またはアルミニウム層を反射層３０として形成した反射シート３２を用いることができる。また、基材３１に貼り合わせる反射層３０として、アルミニウムや銀の金属箔を用いてもよく、また、樹脂製の基材３１を用いずに、上記のような金属箔の単体を反射シートとして用いてもよい。金属箔を用いた場合は、図４２と同様な構成になる。
図４４は、本発明の反射型スクリーンの更に他の実施例を説明するための図で、スクリーンの水平断面の構成を概略的に示すものである。図４４において、４０ａ，４０ｂは拡散層、４１ａ，４１ｂは拡散材として使用するビーズ、４２ａ，４２ｂは透明樹脂バインダである。
図４４の構成では、２層の拡散層４０ａ，４０ｂによって拡散層４０を構成している。本構成では、各拡散層４０ａ，４０ｂにそれぞれ分散させるビーズ４１ａ，４１ｂの粒径，材質，含有量，粒度分布を変えて層構成することにより、入射面の表面の表面粗さと拡散層４０のＨＡＺＥ（表面粗さに依存しない内部ＨＡＺＥ）とを別々に制御することができる。ここでは、複数の粒度のビーズを混合してその混合比によって上記の粒度分布を制御するようにしてもよい。
入射面側の拡散層４０ａの表面粗さを適度に大きくして最適化することにより、拡散層４０ａの表面における反射光を拡散させ、例えば、観察者から見た投射装置の瞳像や、室内の照明灯の像などを目立ちにくくすることができる。また、反射層側の拡散層４０ｂのＨＡＺＥを大きくすることにより、ホットスポットまたはホットバンドを低減させることができる。
上記のごとく図４２ないし図４４の構成によって、本発明に係わる反射型スクリーンは、シリンドリカル形状部２１のような凸条列を有するにもかかわらず、多層構成の一枚のシートとして構成することができ、これにより、生産性が高く、かつ利用者の取り扱いを容易にすることができる。
図４５ないし図４７は、透明樹脂シート１０に直接形成したプリズム形状による凸条列によって水平方向視野角拡大層を構成し、反射層を凸条列に蒸着または塗布によって層形成した構成例を示すもので、各図において、２２はプリズム形状部である。
また、図４８ないし図５０は、透明樹脂シート１０に直接形成したウェーブ形状による凸条列によって水平方向視野角拡大層を構成し、反射層を凸条列に蒸着または塗布によって層形成した構成例を示すもので、各図において、２３はウェーブ形状部である。
上記プリズム形状部２２を使用した構成例、及びウェーブ形状部２３を用いた構成例は、上述した図４２ないし図４４に示した構成例におけるシリンドリカル形状部２１による凸条列を、それぞれプリズム形状部２２またはウェーブ形状部２３に置き換えた構成を示すものであり、その作用は前述した凸条の形状に起因する作用の違いを除いて図４２ないし図４４の実施例と同様であるため、繰り返しの説明は省略する。
また、図４２ないし図５０に示すごとくの、透明樹脂シート１０に直接シリンドリカル形状部２１，プリズム形状部２２，またはウェーブ形状部２３を形成し、これを水平方向視野角拡大層とする構成は、前述の図４ないし図４１の水平方向視野角拡大層２０に適用することができる。
上述のように、水平方向視野角拡大層２０に対する蒸着、スパッタリング、塗布あるいは反射シートの貼り付けによって、水平方向視野角拡大層２０の凸条の形状に浴って反射層３０を構成する場合、図４ないし図４１に示すような平板の反射層を用いた構成と異なり、凸条と反射層３０との間に空隙が生じることがないため、凸条形状が反射特性を決定することになる。
ここでシリンドリカル形状面で反射が行われる場合、反射面が円筒の一部であるため、入射光に対して水平方向に連続的に広がりをもつ反射となる。このときに、凸条と反射層３０との間に空隙を有する平板反射板を用いた構成よりもさらに大きな反射光の広がりが得られ、これによって画面水平方向に広い視野角を有し、ＣＣＲの変動も少ない特性が得られる。
また、プリズム形状面で反射が行われる場合、プリズムの頂角が９０°近傍となるときに投射装置から出射した入射光は、ほぼ回帰反射（入射光と同一方向に反射する）となって、投射装置近傍に向かって反射する。これにより、投射装置近傍で観察した場合に、良好な輝度を得ることができる。本発明では、さらにプリズムの頂角を大きくし、１００°±１０°とすることによって、反射光の広がりを与えることができる。
また、ウェーブ形状面は、上記プリズムの頂角部にＲ形状を有するものに近いため、ウェーブ形状面で反射が行われる場合、プリズムの回帰特性とシリンドリカルの連続的な広がりとを併せ持つ反射特性となり、これにより、視野角／輝度／ＣＣＲにおいてバランスのとれた特性が実現される。
なお、上記の各実施例において、透明樹脂シート１０、水平方向視野角拡大層２０、反射層３０、拡散層４０のいずれかまたは複数を貼り合わせによって相手部材と貼り合わせる構成を採る場合、貼り合わせを行うために、接着剤または粘着剤を使用することができる。または溶融樹脂を接着層として用いてもよい。また貼り合わせの強度を向上させるために、貼り合わせを行う２つの部材の一方または両方に、コロナ放電等の表面活性化処理を行ったり、アンカー剤を塗布しておくようにしてもよい。これら接着剤や粘着剤、あるいは接着用樹脂材やアンカー剤は、スクリーンの光学特性を阻害しないもの、あるいは使用場所に応じて屈折率等の物性を最適にしたものが選択される。
また上記の粘着剤または接着剤として、光硬化型または熱硬化型の粘着剤もしくは接着剤を用い、当該粘着剤または接着剤を塗布した後に光硬化または熱硬化させるようにしてもよい。また、同様に、電子線照射によって架橋する粘着剤または接着剤を用いてもよい。光硬化や熱硬化もしくは電子線架橋によって、粘着剤及び接着剤はその弾性率が上昇するとともに、粘着特性または接着特性が変化する。また、粘着付与剤等の配合剤によっては、粘着特性や接着特性を安定化させる効果が期待できる。これら光硬化型、熱硬化型もしくは電子線架橋型の粘着剤または接着剤を使用することにより、最適な貼り合わせ性能が得られる場合には、適宜これら粘着剤または接着剤を採用することができる。
また、スクリーンの表面の汚れ防止もしくは傷防止のための表面保護として、スクリーン表面に対して保護膜を付与してもよい。保護膜は、ＰＥＴやＰＰの透明性及び表面硬度の高い材料で形成したシートを、粘着剤で貼り合わせて構成することができる。また、フッ素系の樹脂シートや塗料をスクリーン表面に積層してもよい。これにより、保護皮膜としての機能に加えて汚れが付着しにくい（非汚染性）特性を付与することができる。保護シートとしては、フィッシュアイの少ない光学用途の樹脂グレードを用いたシートが好適である。
また、スクリーン表面の静電気によるごみや塵埃等の付着を防ぐために、スクリーン表面に帯電防止剤を塗布または噴霧してもよい。また上記のＰＥＴやＰＰ等による保護シートに対して帯電防止剤を練り込んでおくようにしてもよい。さらには、拡散層４０の透明樹脂バインダ４２に帯電防止剤を練り込むようにしてもよい。
さらには、ＴＩＮＴ層５０の紫外線による劣化を抑制するために、紫外線吸収剤を用いることができる。紫外線吸収剤は、ＴＩＮＴ層５０と該ＴＩＮＴ層５０の入射側に積層される要素（例えば拡散層４０）との貼り合わせに用いる粘着剤または接着剤に練り込んでおくことが好適である。またＴＩＮＴ層５０の入射側に配設される拡散層４０自体に練り込んでもよく、あるいはＴＩＮＴ層５０の入射側に紫外線吸収剤を練り込んだ透明シートを積層してもよい。紫外線吸収剤としては、例えば、ベンゾトリアゾール系の紫外線吸収剤を使用することができる。
また、上記の各実施例において、透明樹脂シート１０の素材としては、例えば、ポリエステル、ポリメタクリル酸メチル、ポリカーボネート、ポリ塩化ビニル、ポリスチレン、ポリプロピレン、ナイロン等の樹脂シートを使用することができる。
拡散層４０の透明樹脂バインダ４２としては、酢酸ビニル系樹脂、変性酢酸ビニル／アクリル共重合樹脂、エチレン／酢酸ビニル樹脂、ポリエステル樹脂、アクリル共重合樹脂、アクリルシリコン系樹脂、セルロース樹脂、塩化ビニル／酢酸ビニル共重合樹脂、スチレン系樹脂、ウレタン系樹脂、エポキシ系樹脂、変性ポリビニルアルコール系樹脂、アクリロニトリルゴム等、を使用することができるが、本発明では、これらの樹脂に限らず適宜最適な樹脂を選択することができる。
次に、本発明の反射型スクリーンのコントラストの測定例を説明する。ここでは、図２３に示す構成のスクリーンを用いて、画面を９分割し、その中心点のスクリーン輝度（Ｇａｉｎ）を測定して各位置のコントラストを測定した。
図５１は、輝度測定方法を説明するための図である。スクリーン１は、６２３×１１０７ｍｍの大きさの５０ｉｎｃｈ・Ｗｉｄｅスクリーンとして構成し、このスクリーンの中心における法線ｎ上のスクリーン１の表面から２５００ｍｍの位置に輝度測定器１０２を設置した。また、スクリーン１の表面から１６８０ｍｍ離間し、かつ上記法線ｎから上方に１０００ｍｍ変位した位置に外光光源１００を設置した。さらに、スクリーン１の表面から１６６０ｍｍ離間し、かつ上記法線ｎから下方に１６５ｍｍ変位した位置に投影機（投射装置）１０１を設置した。ここでは、スクリーンと観察者（観客）との距離が１．５ｍ以上であることを想定した。
図５２は、スクリーン１の輝度測定位置を説明するための図である。図５２に示すように、スクリーン１の画面を等面積で９分割し、各分割領域の中心におけるスクリーン輝度（Ｇａｉｎ）を測定した。輝度測定は、輝度計を首振りさせることによって実施した。
図５３は、上記各測定位置における輝度測定結果と画面コントラストの計算結果を示す表である。図５２における各測定位置１〜９において、投影光（投射光）Ｇａｉｎと外乱光Ｇａｉｎとを測定し、各位置における画像コントラストを計算した。
コントラストは、（投影光Ｇａｉｎ×投影光照度／π）＋（外乱光Ｇａｉｎ×外乱光照度／π）／（投影光Ｇａｉｎ×投影光照度／π／Ｃｏｎｔｒａｓｔ）＋（外乱光Ｇａｉｎ×外乱光照度／π）によって計算できる。
上記の投影光照度としては、全光束７００ｌｍ（ルーメン）を投影面積０．６８９ｍ２にて割った１０１５．７ｌｘ（ルクス）を用いた。また外乱光照度は、２５０ｌｘであって、投影機自体のコントラストは１２００：１である。
コントラストは、測定位置１〜９において、順に、（６．９：１），（７．２：１），（６．４：１），（２５．３：１），（４８．７：１），（２４．９：１），（５１．１：１），（１０２．６：１），（４９．２：１）であった。比較例として、スクリーンで完全拡散が生じるとすると、投影光，外乱光を問わずＧａｉｎは１となり、画面コントラストは５．０：１となるが、本発明に関わるスクリーンにおいては、明室にていずれの測定値においても良好なコントラストが実現される。またこのとき、視野角（半値）は、１７．５°となり、１５°以上の視野角（半値）が得られた。
次に水平方向視野角拡大層２０と反射層３０との距離とスクリーンの結像画面の特性との関係について説明する。
上記図１ないし図２７のごとくの反射板を反射層３０として用いた構成では、反射層３０と水平方向視野角拡大層２０との距離を可変に設定することができる。例えば、反射層３０と水平方向視野角拡大層２０とを離間させて配置してもよい。
ここで、上述のように、結像層となる拡散層４０においては、投射装置からの投射光が拡散層４０に入射するときとその投射光が反射層３０で反射して再度拡散層４０を透過するときの２回の結像が生じる。このため、反射層３０と拡散層４０との距離が離れれば離れる程デフォーカスが大きくなり、結像画像の品質が劣化する。従って、基本的には拡散層４０と反射層３０との距離（光路長）Ｘは短い方が好ましい。すなわち、構成上は水平方向視野角拡大層２０と反射層３０とを近接させて配置させることが好ましい。
しかしながら、例えば、投射画像の特性の最適化、あるいは製造工程合理化のために、必要に応じて水平方向視野角拡大層２０と反射層３０との距離を離間させるようにしてもよい。このときに、水平方向視野角拡大層２０と反射層３０との間の光路長には実用レベルにおける許容値が存在する。
以下に反射層３０と水平方向視野角拡大層２０との距離を離間させていき、拡散層４０と反射層３０との間の光路長を長くしたときの特性と、スクリーンとして許容される上記離間距離について考察する。
図５４Ａ〜図５８Ｂは、水平方向視野角拡大層２０としてレンチキュラーレンズシートを用い、平板の反射層３０と上記水平方向視野角拡大層２０との距離と変化させたときの光路と、スクリーンの水平方向の視野角特性とのシミュレーション結果を示す図である。ここでは、水平方向視野角拡大層２０と反射層３０との距離Ｘ（詳細には、水平方向視野角拡大層２０の頂部と反射層３０の反射面との距離）を、順に０（接触），２０μｍ，３０μｍ，１４０μｍ，２００μｍとし、これらの距離における光路と視野角特性とを図５４Ａ〜図５８Ｂに示している。
具体的には、図５４Ａは上記距離が０のときの光路図、図５４Ｂは図５４Ａに対応する視野角特性、図５５Ａは上記距離が２０μｍのときの光路図、図５５Ｂは図５５Ａに対応する視野角特性、図５６Ａは上記距離が３０μｍのときの光路図、図５６Ｂは図５６Ａに対応する視野角特性、図５７Ａは上記距離が１４０μｍのときの光路図、図５７Ｂは図５７Ａに対応する視野角特性、図５８Ａは上記距離が２００μｍのときの光路図、図５８Ｂは図５８Ａに対応する視野角特性を示している。
上記の各光路図においては、レンチキュラーレンズの１つのシリンドリカル形状部に対してスクリーン面に垂直に２０本の光を入射させ、その各光の挙動をシミュレーションした結果を示している。また光路図に対応する視野角特性図において、光路図における反射光の広がり方に対応した輝度分布が生じる。ここで、レンチキュラーレンズシートの各シリンドリカル形状部の水平方向の配設ピッチは１５５μｍであり、各シリンドリカル形状部によって形成されるシリンドリカルレンズの焦点距離は、シリンドリカル形状部の頂部から約１４０μｍ離れた位置にある。
なお、本シミュレーションの視野角特性においては、拡散層４０における拡散を考慮していない。しかしながら、本発明では、拡散層４０として上述のような弱拡散特性を有する拡散層を使用するため、シミュレーションでは、ほぼ実際のスクリーンに近い結果が得られているものと考えられる。
本発明を適用する反射型スクリーンの観察者の観察位置を考えるとき、室内で観察する観察者の観察位置は、一般にスクリーンから２〜３ｍ離れた位置になる。このときに、スクリーン面の法線に対する観察者の観察角度θは、人一人が占有する横幅を１ｍとするとき、ｔａｎθ＝（人数×１ｍ）／（スクリーン面と観察者との距離）となる。ここでスクリーン面と観察者との距離を２．５ｍとすれば、スクリーンを最も斜めから観察する観察者の観察角度θは、観察者が２人の場合には２２°、観察者が４人の場合には３９°となる。なお、観察距離や観察者等の一般的な条件を鑑みても、スクリーンは少なくとも１５°以上の視野角を有することが好ましいといえる。
上記の観点から、室内で４人程度まで並んで観察可能な理想的な水平方向の視野角を約４０°とすると、図３に示すごとくの視野角特性が理想的な形態となる。すなわち、図３に示す水平方向の視野角特性は、輝度の半値（中央（０°）の輝度に対して半分の輝度が得られる角度）が約４０°であり、かつ中央（０°）に対して角度の絶対値が大きくなるに従って、輝度がなだらかに変化する特性が得られている。視野角に応じて輝度が急激に変化するのは好ましくなく、図３に示すような視野角特性により、最適な視野角特性と高品位の投射画像を得ることができる。
上記を鑑みて、図５４Ａ〜図５８Ｂのシミュレーションを考察すると、水平方向視野角拡大層２０と反射層３０の反射面との距離（詳細には、水平方向視野角拡大層２０の凸条の頂部と反射層３０の反射面との距離）Ｘが、０のとき（図５４Ａ，図５４Ｂ）、及び距離Ｘが２０μｍのとき（図５５Ａ，図５５Ｂ）には、半値が約４０°であって、輝度分布もなだらかに変化しているが、上記距離Ｘが３０μｍでは（図５６Ａ，図５６Ｂ）、半値が約３３°程度まで狭くなり、それ以上に角度の絶対値が大きくなると輝度分布も急激に変化するようになる。
さらに、距離Ｘがシリンドリカル形状部の焦点位置にほぼ一致する１４０μｍのとき（図５７Ａ，図５７Ｂ）は、中央（０°）位置へ戻ってくる光が大部分となり、十分な視野角が得られなくなる。さらに距離Ｘが焦点位置を超えて２００μｍにまでなると（図５８Ａ，図５８Ｂ）、中央（０°）への集光特性を維持しながら、大きい視野角の反射光成分が相対的に増加してくるものの、半値が５°程度であって、視野角を改善するまでには至らない。しかも前述のように距離Ｘが長くなればなる程、デフォーカスが大きくなり、結像画像の品質が劣化するだけである。
以上より、図３の理想的な視野角特性に近い特性を得ることができる反射層３０と水平方向視野角拡大層２０との距離Ｘは、０〜２０μｍの範囲にあるといえる。
上記図３の理想的な視野角特性は、上述のように４人が並列して観察する場合でも一定以上の輝度を得ることができるものであるが、例えば、２人の観測者が並列して観察する場合には、上述の条件から観察角度θが２２°となり、このときの上記距離Ｘは６０μｍ程度まで許容されるものと考えられる。距離Ｘが６０μｍであるときの視野角特性図を図５９に示す。
さらに観察者が一人で観察するとき、その観察者は通常ほぼ中央位置で観察するため、中央（０°）への集光が大きくなっても、ＣＣＲが劣化しない限り大きな問題は生じない。
しかしながら、上述のように距離Ｘが長くなればなる程デフォーカスが大きくなり、結像画像の品質が劣化する。ここで焦点位置に向かって距離Ｘを長くしていくときに、中央（０°）への集光が高まり、焦点位置を超えると再び周囲への拡散光成分が若干増えていく。従って、一人で観察するという限定的な条件下を考えた場合であっても、焦点距離以上に距離Ｘを大きくすることはデフォーカスが大きくなるだけであって全く意味がない。
以上のことから、水平方向視野角拡大層２０と反射層３０との距離Ｘは、レンチキュラーシートを用いた場合に少なくともそのシリンドリカル形状によるシリンドリカルレンズの焦点までの距離以下であって、好ましくは６０μｍ以内、さらに好ましくは２０μｍ以内とすべきである。
換言すれば、水平方向視野角拡大層２０のシリンドリカル形状部の頂部とシリンドリカル形状部によって形成されるシリンドリカルレンズの焦点位置までの距離（以下距離Ｙとする）と距離Ｘとの関係は、０≦Ｘ≦３Ｙ／７が好ましく、さらに好ましくは、０≦Ｘ≦Ｙ／７の場合である。なお、距離Ｘとシリンドリカルレンズの焦点距離（Ｚとする）との関係については、上記シリンドリカルレンズの焦点距離Ｚが１８０μｍであることから、０≦Ｘ≦Ｚ／３が好ましく、さらに好ましくは、０≦Ｘ≦Ｚ／９となる。
上記実施例は、水平方向視野角拡大層２０と反射層３０との距離Ｘを基本的には固定した場合である。しかしながら、上述したように、観察者の人数により距離Ｘは、必ずしも一定でなくてもよい。つまり観察者の人数により距離Ｘを可変にして、効果的な反射を行うスクリーンとすることが可能である。例えば、観察者の人数に応じて、距離Ｘを０，２０μｍ，３０μｍ，６０μｍ，１４０μｍと変えることができるようにしておけば、使用時の状況に応じて最も効果的な反射型スクリーンとすることができる。
距離Ｘの調整はμｍオーダーであるため、マイクロメータのように微調整機構をスクリーンの４隅など適切な位置に設けて上記の調整を行うことができる。スクリーンが更に大型になれば、モータ等の動力により微調整機構を駆動してその距離を制御することになる。
更に、上記の例によれば、スクリーンの全面において、距離Ｘは同一であるが、中心部と周辺部でその距離Ｘを変えてもよい。すなわち、投射装置Ｐからの投射光がスクリーン面と成す入射角度はスクリーン中央と周辺部とでは異なる。従って、反射効率を考えた場合、中心部の距離Ｘと周辺部の距離Ｘとを異ならせることは効果的であり、一般的に言えば、中心部の距離Ｘを周辺部の距離Ｘよりも近づける構成とすれば、スクリーン全体のコントラストは改善される。なお、距離Ｘを上記のように調節する代わりに、スクリーン全体の形状を、周辺部が投射装置Ｐ側にわずかに湾曲する形状にしても効果的である。
以上、本発明の実施の形態について説明してきたが、以上の説明から明らかなように、本発明により、明室においてもコントラストが高く、水平方向視野角が良好であって、かつ画面ＣＣＲが良好な反射型スクリーンを提供することができる。特に、水平方向視野角拡大層によってスクリーン水平方向と垂直方向で異なった反射特性（拡散度）を持たせることにより、垂直方向では拡散を絞って明室コントラストを改善し、水平方向では相対的に拡散を大きくすることによって高視野角を実現して、明室におけるコントラストを改善し、かつ大画面にも適用可能で、ＣＣＲの劣化も生じさせない反射型スクリーンを提供することができる。
また、ＴＩＮＴ層構成ないしブラックマトリクス層によって外乱光を吸収せしめ、投射画像の黒色を引き締めることができる。また、水平方向視野角拡大層の後方に反射層を構成することにより、反射効率とスクリーン正面方向のゲインを向上させることができる。また、拡散層を多層構成とし、入射面の表面の表面粗さと拡散層の内部ＨＡＺＥとを別々に制御することにより、拡散層の表面における反射光の拡散と、ホットスポットまたはホットバンドの低減とを実現することができる。
2004104695.tif 000003
【図２】
2004104695.tif 000004
【図３】
2004104695.tif 000005
【図４】
2004104695.tif 000006
【図５】
2004104695.tif 000007
【図６】
2004104695.tif 000008
【図７】
2004104695.tif 000009
【図８】
2004104695.tif 000010
【図９】
2004104695.tif 000011
【図１０】
2004104695.tif 000012
【図１１】
2004104695.tif 000013
【図１２】
2004104695.tif 000014
【図１３】
2004104695.tif 000015
【図１４】
2004104695.tif 000016
【図１５】
2004104695.tif 000017
【図１６】
2004104695.tif 000018
【図１７】
2004104695.tif 000019
【図１８】
2004104695.tif 000020
【図１９】
2004104695.tif 000021
【図２０】
2004104695.tif 000022
【図２１】
2004104695.tif 000023
【図２２】
2004104695.tif 000024
【図２３】
2004104695.tif 000025
【図２４】
2004104695.tif 000026
【図２５】
2004104695.tif 000027
【図２６】
2004104695.tif 000028
【図２７】
2004104695.tif 000029
【図２８】
2004104695.tif 000030
【図２９】
2004104695.tif 000031
【図３０】
2004104695.tif 000032
【図３１】
2004104695.tif 000033
【図３２】
2004104695.tif 000034
【図３３】
2004104695.tif 000035
【図３４】
2004104695.tif 000036
【図３５】
2004104695.tif 000037
【図３６】
2004104695.tif 000038
【図３７】
2004104695.tif 000039
【図３８】
2004104695.tif 000040
【図３９】
2004104695.tif 000041
【図４０】
2004104695.tif 000042
【図４１】
2004104695.tif 000043
【図４２】
2004104695.tif 000044
【図４３】
2004104695.tif 000045
【図４４】
2004104695.tif 000046
【図４５】
2004104695.tif 000047
【図４６】
2004104695.tif 000048
【図４７】
2004104695.tif 000049
【図４８】
2004104695.tif 000050
【図４９】
2004104695.tif 000051
【図５０】
2004104695.tif 000052
【図５１】
2004104695.tif 000053
【図５２】
2004104695.tif 000054
【図５３】
2004104695.tif 000055
2004104695.tif 000056
2004104695.tif 000057
2004104695.tif 000058
2004104695.tif 000059
2004104695.tif 000060
【図５９】
2004104695.tif 000061
【図６０】
2004104695.tif 000062
【図６１】
2004104695.tif 000063
【図６２】
2004104695.tif 000064
【図６３】
2004104695.tif 000065
【国際調査報告】
2004104695.tif 000066
2004104695.tif 000067
2004104695.tif 000068
2004104695.tif 000069